(57)【要約】【課題】ランプシェード及びそれを応用した発光ダイオード照明器具を提供する。【解決手段】このランプシェードは、弧度が半球体の曲面弧度より大きい本体曲面を有するランプシェード本体部を含む。このランプシェード本体部は、それぞれが、弧度が半球体の曲面弧度以下であるランプシェードチップ曲面を有する複数のランプシェードチップを含む。前記照明器具は、ベースと、前記ランプシェードと、発光ダイオードと、を備える。ランプシェードは、ベースと合わせて光源収納空間を形成するように、ベースに設けられる。発光ダイオードは、発光ダイオードの光線をランプシェード本体経由で、外部に拡散させるように、光源収納空間の中に設けられる。【選択図】図２
2013161780.tif 000002
【特許請求の範囲】
【請求項１】
弧度が半球体の曲面弧度より大きい本体曲面を有し、それぞれの弧度が前記半球体以下の曲面弧度であるランプシェードチップ曲面を有する複数のランプシェードチップを包含するランプシェード本体部
を備えるランプシェード。
【請求項２】
前記ランプシェード本体部は、
弧度が前記半球体以下の曲面弧度であるバックランプシェードチップ曲面を有するバックランプシェードチップと、
前記バックランプシェードチップに設けられ、弧度が前記半球体の曲面弧度であるフロントランプシェードチップ曲面を有するフロントランプシェードチップと、を含む請求項１に記載のランプシェード。
【請求項３】
前記バックランプシェードチップは、それぞれが、弧度が４分の１の球体以下の曲面弧度であるサブランプシェードチップ曲面を有する、２つのサブランプシェードチップを包含する請求項２に記載のランプシェード。
【請求項４】
前記ランプシェードチップは、材質が重合体であり、射出成形するように製作されたものである請求項１に記載のランプシェード。
【請求項５】
ベースと、
弧度が半球体の曲面弧度より大きい本体曲面を有し、それぞれの弧度が半球体以下の曲面弧度であるランプシェードチップ曲面を有する複数のランプシェードチップを含むランプシェード本体部を備え、前記ベースと光源収納空間を形成するように、前記ベースに設けられるランプシェードと、
その光線を前記ランプシェード主体部経由で、外部に拡散させるように、前記光源収納空間の中に設けられる少なくとも１つの発光ダイオードと、
を備える照明器具。
【請求項６】
前記ランプシェード本体部は、
弧度が前記半球体以下の曲面弧度であるバックランプシェードチップ曲面を有し、前記ベースに設けられるバックランプシェードチップと、
弧度が前記半球体の曲面弧度であるフロントランプシェードチップ曲面を有し、前記バックランプシェードチップに設けられるフロントランプシェードチップと、を含む請求項５に記載の照明器具。
【請求項７】
前記バックランプシェードチップは、それぞれが、弧度が４分の１の球体以下の曲面弧度であるサブランプシェードチップ曲面を有する、２つのサブランプシェードチップを包含する請求項６に記載の照明器具。
【請求項８】
前記ランプシェードチップは、材質が重合体であり、射出成形するように製作されたものである請求項５に記載の発光ダイオード照明器具。
【発明の詳細な説明】
【技術分野】
【０００１】
本発明は、ランプシェード及びそれを応用した発光ダイオード照明器具に関し、特に、組立式ランプシェード及びそれを応用した発光ダイオード照明器具に関する。
【背景技術】
【０００２】
従来の白熱電球は、発光効率が低いため、環境保護・省エネを求める時代の流れとともに、その使用が次々と世界各国で禁じられていく。一方、発光ダイオード（Ｌｉｇｈｔ  Ｅｍｉｔｔｉｎｇ  Ｄｉｏｄｅ；ＬＥＤ）は、潜在力が極めて高い代替光源となる。従来の白熱電球は、発光角度が約３００度に到達できる（最高光強度の半分で広がる角度範囲によって、その発光角度を推算する）。従来のＬＥＤがランバート（Ｌａｍｂｅｒｔｉｏｎ）空間光場分布を有するため、複数のＬＥＤ結晶粒からなるＬＥＤ照明器具は、光場分布のせいで、光出力の角度が狭くなり、且つ広い照明空間範囲において、均一（無方向性）な照度分布に達成しにくい。このように、ＬＥＤ照明器具は、直接にグレアの問題を起こすだけではなく、延いてはライトスポットの発生も可能であるので、ＬＥＤで従来の白熱電球を取って代わる速度が抑えられてしまう。
【０００３】
現在の発光ダイオード照明器具は、その出光角度を増加させるように、光拡散機能を持つランプシェードによって発光ダイオードからの光線を均一に拡散させる。現在のランプシェードは、射出成形技術によって製作されるため、半球体より大きいランプシェードを製作しようとする場合、対応の鋳型は必要である。しかしながら、射出成形技術で半球体より大きい鋳型を製作することは、非常に困難であるため、射出成形技術を使えば、せいぜい半球体の鋳型で半球体のランプシェードを製作することしか応用できない。
【０００４】
半球体のランプシェードは、半球面の出光角度しか提供できないため、半球体のランプシェードを応用した発光ダイオード照明器具は、大きな出光角度という目標を達成しにくい。しかしながら、他の加工方式によって、大きさが球体の半分を超えたランプシェードを製作すれば、ランプシェード及び照明器具の製作コストを大幅に向上させることとなる。
【発明の概要】
【発明が解決しようとする課題】
【０００５】
そのため、ランプシェード及び照明器具の製作コストを低下させる可能な、新規のランプシェード及びそれを応用した発光ダイオード照明器具が望まれている。
【課題を解決するための手段】
【０００６】
本発明の一側面は、ランプシェード及びそれを応用した発光ダイオード照明器具を提供する。このランプシェードが、半球体未満の大きさの複数のランプシェードチップによって構成されることで、低コストの射出成形技術によってランプシェード及び発光ダイオード照明器具を製造することが可能になる。
【０００７】
本発明の一実施例によると、このランプシェードは、本体曲面を有するランプシェード本体部を備える。本体曲面の弧度は、半球体以上の曲面弧度である。ランプシェード本体部は、それぞれが、弧度が半球体以下の曲面弧度であるランプシェードチップ曲面を有する複数のランプシェードチップを含む。
【０００８】
本発明の別の実施例によると、この発光ダイオード照明器具は、ベースと、ランプシェードと、発光ダイオードと、を備える。ランプシェードは、ベースと合わせて光源収納空間を形成するように、ベースに設けられ、このランプシェードは、弧度が半球体以上の曲面弧度である本体曲面を有するランプシェード本体部を含む。ランプシェード本体部は、それぞれが、弧度が半球体以下の曲面弧度であるランプシェードチップ曲面を有する複数のランプシェードチップを含む。
【発明の効果】
【０００９】
前記説明より、本発明の実施例によるランプシェードは、半球体未満の大きさの複数のランプシェードチップによって構成され、従って、低コストの射出成形技術によってこれらのランプシェードチップを製作することが可能になることが判明できる。これらのランプシェードチップを組み合わせると、半球体を超える大きさのランプシェードが得られる。
【図面の簡単な説明】
【００１０】
下記図面の簡単な説明は、本発明の前記または他の目的、特徴、メリットをより分かりやすくするためのものである。
【００１１】
【図１】本発明の実施例による発光ダイオード照明器具の側面を示す斜視図である。
【図２】本発明の実施例による発光ダイオード照明器具の構造を示す分解図である。
【図３】本発明の実施例による発光ダイオード照明器具の構造を示す分解図である。
【図４】本発明の実施例による発光ダイオード照明器具の構造を示す分解図である。
【図５】本発明の実施例による発光ダイオード照明器具の構造を示す分解図である。
【図６】本発明の実施例による発光ダイオード照明器具の構造を示す分解図である。
【発明を実施するための形態】
【００１２】
本発明の実施例による発光ダイオード照明器具１００の側面を示す斜視図である図１、及び本発明の実施例による発光ダイオード照明器具１００の構造を示す分解図である図２をともに参照する。発光ダイオード照明器具１００は、ベース１１０と、ランプシェード１２０と、発光ダイオード１３０と、を備え、発光ダイオード１３０は、パッキングされた発光ダイオードチップであってよく、発光ダイオード１３０も、１つに限定されない。本発明の他の実施例において、発光ダイオード照明器具は、複数の発光ダイオード１３０を備えてよい。ランプシェード１２０は、ベース１１０と合わせて発光ダイオード１３０を収納するための光源収納空間１４０を形成するように、ベース１１０に設けられ、このように、発光ダイオード１３０からの光線が、ランプシェード１２０経由で、外部に拡散することができる。
【００１３】
本実施例において、ランプシェード１２０は、ランプシェード本体部１２２と、接合部１２４と、を含む。ランプシェード本体部１２２は、上下に重ね合わせたバックランプシェードチップ１２２ａ及びフロントランプシェードチップ１２２ｂを含み、バックランプシェードチップ１２２ａの下縁には、接合部１２４が設けられ、このように、ランプシェード本体部１２２を、接合部１２４を介してベース１１０に設ける。本実施例において、接合部１２４をベース１１０に嵌合させるように、接合部１２４とベース１１０との接続を、接合部１２４及びベース１１０上の嵌合機構（例えば、ねじ山又はほぞ継手）によって達成する。また、本発明の他の実施例において、ランプシェード本体部１２２を、接合部１２４を介してベース１１０に設ける必要がなく、接着剤によって直接にベース１１０に設けてよい。
【００１４】
バックランプシェードチップ１２２ａ及びフロントランプシェードチップ１２２ｂは、射出成形技術によって製作されたものであり、バックランプシェードチップ１２２ａ及びフロントランプシェードチップ１２２ｂは、重合体（例えば、ポリカーボネート（ｐｏｌｙｃａｒｂｏｎａｔｅ；ＰＣ））であってよいが、本発明の実施例は、これに限定されない。
【００１５】
図２より、フロントランプシェードチップ１２２ｂのランプシェードチップ曲面の弧度が、実質上半球体の弧度に等しいが、バックランプシェードチップ１２２ａのランプシェードチップ曲面の弧度が、半球体の弧度より小さいことが判明できる。フロントランプシェードチップ１２２ｂとバックランプシェードチップ１２２ａを合わせると、曲面弧度が半球体より大きいランプシェード本体部１２２を形成することができ、発光ダイオード照明器具１００に大きな出光角度を持たせる。本実施例において、フロントランプシェードチップ１２２ｂとバックランプシェードチップ１２２ａとの合わせを、嵌合機構又は接着剤によって達成できるが、本発明の実施例は、これに限定されない。
【００１６】
また、本実施例のバックランプシェードチップ１２２ａの曲面弧度は、半球体の弧度より小さいが、本発明の実施例は、これに限定されない。本発明の他の実施例において、バックランプシェードチップ１２２ａの曲面弧度を、実質上半球体の弧度に等しくように設計し、バックランプシェードチップ１２２ａの底面で、発光ダイオード１３０をその中から貫設させるための穴を設置してよい。
【００１７】
前記説明より、本実施例のランプシェード１２０は、バックランプシェードチップ１２２ａとフロントランプシェードチップ１２２ｂからなることが判明できる。それらの曲面弧度が半球体以下の弧度であるため、バックランプシェードチップ１２２ａ及びフロントランプシェードチップ１２２ｂを低コストの射出成形技術によって製作することができ、更に、発光ダイオード１３０が広い角度範囲で外部に射出するように、半分の球体の弧度を超えたランプシェード１２０が提供される。
【００１８】
本発明の実施例によるランプシェード１２０は、バックランプシェードチップ１２２ａ及びフロントランプシェードチップ１２２ｂからなるため、バックランプシェードチップ１２２ａ及びフロントランプシェードチップ１２２ｂが、異なる光学特性（例えば、屈折指数（Ｒｅｆｒａｃｔｉｖｅ  Ｉｎｄｅｘ）又はカラー等の特性）を持つように設計してよく、このように、異なるユーザーの要求を満たすように、発光ダイオード照明器具１００が出力する光の形状及び品質を、これらの光学特性の変化によって調整することができることは、注意すべきである。
【００１９】
本発明の実施例による発光ダイオード照明器具３００の構造を示す分解図である図３を参照する。発光ダイオード照明器具３００は、発光ダイオード照明器具１００に類似するものであるが、発光ダイオード照明器具３００のランプシェードのランプシェード本体部３２２は、フロントランプシェードチップ１２２ｂとバックランプシェードチップ３２２ａからなり、バックランプシェードチップ３２２ａは、サブランプシェードチップ３２２ａ−１とサブランプシェードチップ３２２ａ−２からなることで異なっている。
【００２０】
本実施例において、サブランプシェードチップ３２２ａ−１及びサブランプシェードチップ３２２ａ−２の曲面弧度は、球体の４分の１以下の曲面弧度であり、このように、サブランプシェードチップ３２２ａ−１とサブランプシェードチップ３２２ａ−２からなるバックランプシェードチップ３２２ａは、バックランプシェードチップ１２２ａと類似な外形を持つようになる。
【００２１】
本実施例のバックランプシェードチップ３２２ａは、サブランプシェードチップ３２２ａ−１と３２２ａ−２からなるため、サブランプシェードチップ３２２ａ−１及びサブランプシェードチップ３２２ａ−２が異なる光学特性（例えば、屈折指数又はカラー等の特性）を持つように設計してよく、このように、異なるユーザーの要求を満たすように、発光ダイオード照明器具３００が出力する光の形状及び品質を、これらの光学特性の変化によって調整することができる。
【００２２】
本発明の実施例による発光ダイオード照明器具４００の構造を示す分解図である図４を参照する。発光ダイオード照明器具４００は、発光ダイオード照明器具３００に類似するものであるが、発光ダイオード照明器具４００のランプシェードのランプシェード本体部４２２のバックランプシェードチップ４２２ａは、ベース１１０に上下に重ね合わせたサブランプシェードチップ４２２ａ−１とサブランプシェードチップ４２２ａ−２からなり、サブランプシェードチップ４２２ａ−１及びサブランプシェードチップ４２２ａ−２の何れの曲面弧度も、半球体以下の弧度であることで異なっている。
【００２３】
本実施例のバックランプシェードチップ４２２ａは、上下に重ね合わせたサブランプシェードチップ４２２ａ−１及び４２２ａ−２からなるため、サブランプシェードチップ４２２ａ−１及びサブランプシェードチップ４２２ａ−２が異なる光学特性（例えば、屈折指数又はカラー等の特性）を持つように設計してよく、このように、異なるユーザーの要求を満たすように、発光ダイオード照明器具４００が出力する光の形状及び品質を、これらの光学特性の変化によって調整することができる。
【００２４】
本発明の実施例による発光ダイオード照明器具５００の構造を示す分解図である図５を参照する。発光ダイオード照明器具５００は、発光ダイオード照明器具１００に類似するものであるが、発光ダイオード照明器具５００のランプシェードのランプシェード本体部５２２のランプシェードチップ５２２ａ及び５２２ｂは、左右に重ね合わせることでランプシェード本体部５２２を形成し、ランプシェードチップ５２２ａ及び５２２ｂのランプシェードチップの曲面弧度は、実質上半球体以下の弧度であることで異なっている。
【００２５】
本実施例によるランプシェード本体部５２２は、左右に重ね合わせたサブランプシェードチップ５２２ａ及び５２２ｂからなることができるため、ランプシェードチップ５２２ａ及び５２２ｂが異なる光学特性（例えば、屈折指数又はカラー等の特性）を持つように設計してよく、このように、異なるユーザーの要求を満たすように、発光ダイオード照明器具５００が出力する光の形状及び品質をこれらの光学特性の変化によって調整することができる。
【００２６】
本発明の実施例による発光ダイオード照明器具６００の構造を示す分解図である図６を参照する。発光ダイオード照明器具６００は、発光ダイオード照明器具３００に類似するものであるが、発光ダイオード照明器具６００は、ランプシェードの外に巻設されたランプシェードフレーム６５０を、更に備えることで異なっている。
【００２７】
本実施例のランプシェードフレーム６５０は、高熱伝導性及び高強度を持つ材質（例えば、金属）より製作され、透かし彫り構造を有し、このように、発光ダイオード照明器具６００の放熱効果及び機構強度を向上させるのみならず、発光ダイオード照明器具６００の出光角度がランプシェードフレームに大幅に限定されることも回避できる。
【００２８】
本発明では好適な実施例を前述の通り開示したが、これは本発明を限定するものではなく、当業者であれば、本発明の精神と領域から逸脱しない限り、多様の変動や修正を加えることができる。従って本発明の保護範囲は、特許請求の範囲で指定した内容を基準とする。
【符号の説明】
【００２９】
１００、３００、４００、５００、６００  発光ダイオード照明器具、１１０  ベース、１２０  ランプシェード、１２２、３２２、４２２、５２２  ランプシェード本体部、１２２ａ、３２２ａ、４２２ａ  バックランプシェードチップ、１２２ｂ  フロントランプシェードチップ、１２４  接合部、１３０  発光ダイオード、１４０  光源収納空間、３２２ａ−２、４２２ａ−２、３２２ａ−１、４２２ａ−１  サブランプシェードチップ、５２２ａ、５２２ｂ  ランプシェードチップ、６５０  ランプシェードフレーム
【図１】
2013161780.tif 000003
【図２】
2013161780.tif 000004
【図３】
2013161780.tif 000005
【図４】
2013161780.tif 000006
【図５】
2013161780.tif 000007
【図６】
2013161780.tif 000008